(57)【要約】      （修正有）【課題】電源制御手段を備えたＳＡＴＡインタフェイスモジュールを提供する。【解決手段】アダプタを有し、その内側から信号セグメントと電源セグメントのコネクタとを延伸し、上記信号セグメントと電源セグメントとの外側にそれぞれ信号ケーブルと電源ケーブルとを延伸し、回路基板を備え、その外側に電源入力レセプタクルを設け、電源ケーブルを回路基板の所定の接点に結合し、且つ電源ケーブルと電源入力レセプタクルとの間に電源スイッチを結合して、電源オン／オフを制御できるようにする。更に、リムーバブル装置または外付装置に用いることができ、これらの装置に電源制御の機能を持たせる。【選択図】図１
0003111830.tif 000002
【実用新案登録請求の範囲】
【請求項１】
アダプタを有してこのアダプタの内側から信号セグメントと電源セグメントのコネクタとを延伸し、上記信号セグメントと電源セグメントとの外側にそれぞれ信号ケーブルと電源ケーブルとを延伸し、
回路基板を有してこの回路基板の外側に電源入力レセプタクルを設け、電源ケーブルを直接上記回路基板の所定の接点に結合し、且つ上記電源ケーブルと電源入力レセプタクルとの間に電源スイッチを結合して、電力のオン／オフを制御できるようにしたことを特徴とするＳＡＴＡインタフェイスモジュール。
【請求項２】
上記回路基板は、配線により少なくとも一つの表示装置を結合したことを特徴とする請求項1記載のＳＡＴＡインタフェイスモジュール。
【請求項３】
上記信号部に直接信号ケーブルを結合し、または上記信号ポートに信号レセプタクルを設けて信号ケーブルの信号プラグを嵌合して接続できるようにしたことを特徴とする請求項１記載のＳＡＴＡインタフェイスモジュール。
【請求項４】
上記回路基板にファン電源レセプタクルを設けて、リムーバブル装置または外付装置のファン電源を供給できるようにしたことを特徴とする請求項１記載のＳＡＴＡインタフェイスモジュール。
【請求項５】
モジュールは、リムーバブル装置または外付け装置の背面に設け、且つ連接器の両側にそれぞれ連結部を設けて、リムーバブル装置または外付装置に固定設置できるようにしたことを特徴とする請求項１記載のＳＡＴＡインタフェイスモジュール。
【考案の詳細な説明】
【技術分野】
【０００１】
本考案は、ＳＡＴＡインタフェイスモジュールに係、特にリムーバブル装置または外付装置に用いて、これらの装置に電力制御機能を提供することができるＳＡＴＡインタフェイスモジュールに関する。
【背景技術】
【０００２】
高速伝送と高安定性が望まれ、新たなコンピュータ伝送インタフェイスであるシリアルＡＴＡ（Ｓｅｒｉａｌ  Ａｄｖａｎｃｅｄ  Ｔｅｃｈｎｏｌｏｇｙ  Ａｔｔａｃｈｍｅｎｔ、以下、ＳＡＴＡ）インタフェイスの記憶装置が生まれた。そこで、関連業者は、ＳＡＴＡインタフェイスと相容する周辺装置の研究開発に着手した。コンピュータリムーバブル装置（Ｍｏｂｉｌｅ  Ｒａｃｋ）や外付装置（Ｅｘｔｅｒｎａｌ  Ｅｎｃｌｏｓｕｒｅ）などはその一例である。ＳＡＴＡインタフェイスの信号については、７ピンの信号セグメント（ｓｉｇｎａｌ  Ｓｅｇｍｅｎｔ）および１５ピンの電源セグメント（ｐｏｗｅｒ  Ｓｅｇｍｅｎｔ）から構成している。ところが、信号伝送の過程で、その間の接点やアダプタが頻繁すぎて、信号減衰や遅延を起こしたり、ダウンしてしまったりといった問題が発生し易い。
【０００３】
関連業者は、このような欠点を回避するためＳＡＴＡインタフェイスのアダプタをリムーバブル装置の外筐体背面に直接設け、内筐体をこの外筐体に嵌入することにより、その背面のレセプタクルにアダプタが通り、ＳＡＴＡインタフェイスの記憶装置の信号と電源コネクタとの間に接続を形成できるようにした。このような信号と電源の接続方式では、最良の信号伝送効果が得られるが、電源部を直接嵌合接続しているため、従来のＩＤＥ（Ｉｎｔｅｌｌｉｇｅｎｔ  Ｄｒｉｖｅ  Ｅｌｅｃｔｒｏｎｉｃｓ、以下、ＩＤＥ）インタフェイスのリムーバブル装置にあるような電力制御および／または状態表示ができない。これでは、内筐体の記憶装置が非運転状態にあることを確認して着脱することが難しくなる。そこで、ＳＡＴＡインタフェイスのリムーバブル装置または外付装置への電源スイッチ設置は、業者が克服すべき難題となっている。
【０００４】
以上のようなＳＡＴＡインタフェイスのコンピュータリムーバブル装置に電源スイッチを設置できない欠点を解決するために、本考案者は［特許文献１］「電力制御を有するＳＡＴＡ移動ラック」を開発し、別の道を開いてアダプタと回路基板とをモジュール化した。
【特許文献１】実用新案登録３０９９１７８号、台湾公告第５７８９７２号、中国実用新案第０３２７２６０２．３号、米国特許出願  Ｎｏ．１０／６０９，９３５
【考案の開示】
【考案が解決しようとする課題】
【０００５】
上記「電力制御を有するＳＡＴＡ移動ラック」におけるアダプタと回路基板とのモジュール化を、異なる形態の装置に対応するべく、電力制御手段を備えたＳＡＴＡインタフェイスモジュールを提供することを目的とする。
【課題を解決するための手段】
【０００６】
本考案のＳＡＴＡインタフェイスモジュールは、アダプタを有してこのアダプタの内側から信号セグメントと電源セグメントのコネクタとを延伸し、上記信号セグメントと電源セグメントとの外側にそれぞれ信号ケーブルと電源ケーブルを延伸し、
回路基板を有してこの回路基板の外側に電源入力レセプタクルを設け、電源ケーブルを直接上記回路基板の所定の接点に結合し、且つ上記電源ケーブルと電源入力レセプタクルとの間に電源スイッチを結合して、電力のオン／オフを制御できるようにしたことを特徴とする。
【考案の効果】
【０００７】
本考案のＳＡＴＡインタフェイスモジュールは、アダプタの信号セグメントを回路基板上の回路接続を経てリムーバブル装置または外付装置の記憶装置に接続するのではなく、信号ケーブルで直接コンピュータホストに接続するため、高速伝送と高安定性の要求を満たすことができる。また、電源セグメントを、電源ケーブルにより直接回路基板の所定の接点に結合し、電源入力レセプタクルから外部電力を取得し、電源ケーブルとの間に電源スイッチを結合して電源を切り替えることができるようにし、電源のオン／オフが制御できるようになる。さらに、本考案の回路基板は第一および第二表示装置を結合してもよく、記憶装置のアクセス状態と電源オン／オフの状態を表示するようにできる。
【考案を実施するための最良の形態】
【０００８】
以下、図面を参照して本考案の実施例を説明する。
【実施例】
【０００９】
図１に示すように、本考案における一実施例のＳＡＴＡインタフェイスモジュールは、アダプタ１および回路基板２を組み合わせて構成されている。アダプタ１には、その内側に突出させてＳＡＴＡ規格のピンに適合した信号セグメント１１ａおよび電源セグメント１２ａのコネクタを設けている。上記信号セグメント１１ａは、別の側に信号ケーブル１１ｂを結合するか、または、信号レセプタクル１１ｄを設けて信号ケーブル１１ｂの一端の信号プラグ１１ｅを嵌合できるようにしている。上記信号ケーブル１１ｂの別の一端の信号コネクタ１１ｃは、コンピュータのホスト、インタフェイスカードまたは信号ポートに嵌合連結するようになっている。ここで、上記信号レセプタクル１１ｄを採用する利点は、アダプタ１が長い信号ケーブル１１ｂを伴わなくて済むことである。上記電源セグメント１２ａの別の側に結合する電源ケーブル１２ｂは、直接結合して、例えば後述の回路基板２に半田接合される。
【００１０】
アダプタ１は、その両側にそれぞれ連結部１３を設けて耳のようにして、公知の連結部材を使用できるようにし、ネジやボルトといった部材を通孔１３ａに通してリムーバブル装置や外付装置に固定設置できるようにしている。
【００１１】
回路基板２は、その外側に電源入力レセプタクル２１を設け、電力供給器や整流変圧器の電力供給コネクタを嵌合連結して、外部電力を得るようになっている。電源入力レセプタクル２１は、配線によって、例えばリード２２などで電源スイッチ２３に結合し、制御回路を形成している。電源ケーブル１２ｂは、直接結合し、例えば回路基板２上の所定の接点に半田接合して、電源セグメント１２ａが電力を得られるようにしている。上記アダプタ１と回路基板２との間は、電源ケーブル１２ｂによって連結し、これによりモジュールを形成している。上記回路基板２の回路配置は、「電力制御を有するＳＡＴＡ移動ラック」［特許文献１］に示すものと同様とし、回路ブロックまたは回路図はここでは述べない。よって、電源スイッチ２３を切り替えることによって、電源セグメント１２ａの電力オン／オフを制御でき、リムーバブル装置または外付装置をホットスワップ可能にし、記憶装置の安全性の訴求に適合することができる。
【００１２】
この他、回路基板２は配線によって、例えばリード２４などでＬＥＤランプといった第一表示装置２５に接続して回路を形成し、点灯時にはリムーバブル装置または外付装置内の記憶装置にアクセスしていることを表すようにしている。また、回路基板２は、別の配線で、例えばリード２６をＬＥＤランプといった第二表示装置２７に接続して回路を形成し、点灯時には電力導通状態にあることを表し、消灯時には電力が切断状態にあることを表すようにしている。
【００１３】
さらに進んで、回路基板２は、その内側にファン電源レセプタクル２８を別途設け、リムーバブル装置または外付装置に固設したファンの所要電力を供給して、放熱できるようにしている。
【００１４】
図２および図３に示すように、ＳＡＴＡインタフェイスモジュールのリムーバブル装置への運用では、リムーバブル装置は外筐体３および内筐体４から構成されている。上記外筐体３は、中空のフレームで、コンピュータホストの設置空間に装着設置される。フレーム室３１の寸法は、内筐体４の寸法に対応して挿入または抜出できるようにする。外筐体３背面板３２には、内筐体４背面のポート４１に対応してアダプタ１を固設し、且つ回路基板２も背面板３２に固設し、電源スイッチ２３、第一表示装置２５および第二表示装置２７をリードで外筐体３の前方まで延伸して、制御および表示できるようにしている。
【００１５】
内筐体４内部には、ＳＡＴＡインタフェイスの記憶装置、例えばハードディスクなどを収容している。また、内筐体４の背面のポート４１は、前述のアダプタ１の信号セグメント１１ａと電源セグメント１２ａの結合と分離ができるようにしている。
【００１６】
上述の実施例から見ると、ＳＡＴＡインタフェイスモジュールは外付装置にも運用でき、例えばＳＡＴＡインタフェイスのハードディスク外付けボックスなどに、電源制御の機能をもたせることができる。
【図面の簡単な説明】
【００１７】
【図１】本考案の一実施例のＳＡＴＡインタフェイスモジュールを示す斜視図である。
【図２】本実施例のインタフェイスモジュールをリムーバブル装置に適用した例を示す斜視図である。
【図３】図２に示すリムーバブル装置の組み立て後の斜視図である。
【符号の説明】
【００１８】
１   アダプタ
１１ａ     信号セグメント
１１ｂ     信号ケーブル
１１ｃ     信号コネクタ
１１ｄ     信号レセプタクル
１１ｅ     信号プラグ
１２ａ     電源セグメント
１２ｂ電源ケーブル
１３ 連結部
１３ａ     通孔
２   回路基板
２１ 電源入力レセプタクル
２２ リード
２３ 電源スイッチ
２４ リード
２５ 第一表示装置
２６ リード
２７ 第二表示装置
２８ ファン電源レセプタクル
３   外筐体
３１ フレーム室
３２ 背面板
４   内筐体
４１ ポート
【図１】
0003111830.tif 000003
【図２】
0003111830.tif 000004
【図３】
0003111830.tif 000005